【手続補正書】
【提出日】平成23年2月18日(2011.2.18)
【手続補正１】
【補正対象書類名】特許請求の範囲
【補正対象項目名】全文
【補正方法】変更
【補正の内容】
【特許請求の範囲】
【請求項１】
各々の個包装（１１）中に包装される製品についてのパケットであって、
該パケット内に製品を保持するための所定の大きさの力を及ぼす保持手段を備え、
この保持手段が、個包装（１１）の少なくとも一部をパケット（４０）の少なくとも一部に接着する永久接着手段（８０）であることを特徴とするパケット。
【請求項２】
永久接着手段（８０）は、強固な接続を形成することを特徴とする請求項１に記載のパケット。
【請求項３】
少なくとも１つの外箱（４１）を備えることを特徴とする請求項１または２に記載のパケット。
【請求項４】
各々の個包装（１１）中に包装される製品についてのパケットであって、
該パケット内に製品を保持するための所定の大きさの力を及ぼす保持手段を備えるとともに、少なくとも１つの外箱（４１）を備え、
上記保持手段は、個包装（１１）の少なくとも一部を外箱（４１）の少なくとも一部に接着する永久接着手段（８０）であることを特徴とするパケット。
【請求項５】
外箱（４１）は、製品（１０）を少なくとも部分的に収容する複数の面と、製品を取り出すための少なくとも１つの開口面（４２）と、を有することを特徴とする請求項４に記載のパケット。
【請求項６】
外箱（４１）は、該外箱の面の一つに接続されて製品（１０）を取り出すための開口面を閉じるように設計された蓋（４３）を有することを特徴とする請求項５に記載のパケット。
【請求項７】
外箱（４１）は、カード、紙、プラスチック、フォイルまたはこれらの材料の種々の組み合わせから形成されることを特徴とする請求項５または６に記載のパケット。
【請求項８】
互いに接続された２つ以上の外箱（４１）を含むことを特徴とする請求項１〜７のいずれかに記載のパケット。
【請求項９】
製品についてのパケットであって、
該パケット内に製品を保持するための所定の大きさの力を及ぼす保持手段を備えるとともに、少なくとも１つの外箱（４１）を備え、
上記保持手段は、個包装（１１）の少なくとも一部を外箱（４１）の少なくとも一部に接着する永久接着手段（８０）であり、
上記永久接着手段（８０）は、外箱（４１）の切離し部分（８１）に与えられることを特徴とするパケット。
【請求項１０】
外箱（４１）の切離し部分（８１）は、外箱（４１）自体に形成された切取線（８２）を介して外箱（４１）にくっ付いていることを特徴とする請求項９に記載のパケット。
【請求項１１】
切取線（８２）は、少なくとも部分的に、外箱（４１）を形成している材料中に形成された穴あき線の形態であることを特徴とする請求項１０に記載のパケット。
【請求項１２】
切取線（８２）は、少なくとも部分的に、外箱（４１）を形成している材料中に押圧された非穴あき刻み目線であることを特徴とする請求項１０または１１に記載のパケット。
【請求項１３】
切取線（８２）は、所定の大きさの引裂力を要求するように設計されていることを特徴とする請求項１０〜１２のいずれかに記載のパケット。
【請求項１４】
外箱（４１）の切離し部分は、外箱（４１）の一面における端縁の一つから突出したタブ（８１）の形態であることを特徴とする請求項９〜１３のいずれかに記載のパケット。
【請求項１５】
タブ（８１ａ）があることによって、人が製品に触ることなく該製品を取り出せることを特徴とする請求項１４に記載のパケット。
【請求項１６】
タブ（８１ａ）は、製品の端部から長手方向に突出していることを特徴とする請求項１４または１５に記載のパケット。
【請求項１７】
外箱の切離し部分（８１ｂ）は、外箱の面の内側に形成されることを特徴とする請求項１０〜１６のいずれかに記載のパケット。
【請求項１８】
外箱の切離し部分は、ほぼ円形の形状であることを特徴とする請求項１０〜１７のいずれかに記載のパケット。
【請求項１９】
各々の個包装（１１）中に包装される製品についてのパケットであって、
該パケット内に製品を保持するための所定の大きさの力を及ぼす保持手段を備え、
外箱内に配置された少なくとも１つのシート（１１０）を備え、
上記保持手段は、個包装（１１）の少なくとも一部をシート（１１０）の少なくとも一部に接着する永久接着手段（８０）であることを特徴とするパケット。
【請求項２０】
永久接着手段（８０）は、シート（１１０）の切離し部分（１３０）に与えられることを特徴とする請求項１９に記載のパケット。
【請求項２１】
シート（１１０）の切離し部分（１３０）は、シート（１１０）に形成された切取線（１３１）を介してシート（１１０）にくっ付いていることを特徴とする請求項２０に記載のパケット。
【請求項２２】
切取線（１３１）は、少なくとも一部は、シート（１１０）を形成している材料中に形成された穴あき線の形態であることを特徴とする請求項２１に記載のパケット。
【請求項２３】
切取線（１３１）は、少なくとも一部は、シート（１１０）を形成している材料中に押圧された非穴あき刻み目線の形態であることを特徴とする請求項２１または２２に記載のパケット。
【請求項２４】
切取線（１３１）は、所定の大きさの引裂力を要求するように設計されていることを特徴とする請求項２１〜２３のいずれかに記載のパケット。
【請求項２５】
シート（１１０）と外箱（４１）との間に永久接着手段（１４０）を有することを特徴とする請求項１９〜２４のいずれかに記載のパケット。
【請求項２６】
外箱（４１）内に配置された２つ以上のシート（１１０）の間に永久接着手段（１７０）を有することを特徴とする請求項１９〜２５のいずれかに記載のパケット。
【請求項２７】
製品についてのパケットであって、
該パケット内に製品を保持するための所定の大きさの力を及ぼす保持手段を備え、
この保持手段として、永久接着手段（８０）が、個包装（１１）の切離し部分（１７０）に与えられることを特徴とするパケット。
【請求項２８】
個包装（１１）の切離し部分（１７０）は、個包装（１１）上に形成された切取線（１７１）を介して個包装（１１）にくっ付いていることを特徴とする請求項２７に記載のパケット。
【請求項２９】
切取線（１７１）は、少なくとも一部は、個包装（１１）を形成している材料中に形成された穴あき線の形態であることを特徴とする請求項２８に記載のパケット。
【請求項３０】
切取線（１７１）は、少なくとも一部は、個包装（１１）を形成している材料中に押圧された非穴あき刻み目線の形態であることを特徴とする請求項２８または２９に記載のパケット。
【請求項３１】
切取線（１３１）は、所定の大きさの引裂力を要求するように設計されていることを特徴とする請求項２８〜３１のいずれかに記載のパケット。
【請求項３２】
個包装（１１）は、製品の周囲で折り畳まれるシートの形態であることを特徴とする請求項１〜３１のいずれかに記載のパケット。
【請求項３３】
個包装製品を取り出すことによって剥き出される製品の部分（９）の大きさが、指で触ることなく口を使って直接的に個包装の残部（１７０ｂ）から製品自体を引き出すのに十分な大きさとなるように、切取線（１７１）が個包装上に配置されることを特徴とする請求項２７〜３２のいずれかに記載のパケット。
【請求項３４】
個包装の切取線（１７１）が、剥き出される製品の端縁から少なくとも３ｍｍの位置に配置されていることを特徴とする請求項２７〜３３のいずれかに記載のパケット。
【請求項３５】
該パケットから製品を取り出すときに剥き出される製品の部分（９）が少なくとも３ｍｍの長さとなるように、切取線（１７１）が個包装上に配置されることを特徴とする請求項２７〜３４のいずれかに記載のパケット。
【請求項３６】
上記個包装上の切取線（１７１）と、剥き出される製品の端縁と、の間の距離が、製品自体の長さの半分よりも長くないことを特徴とする請求項２７〜３５のいずれかに記載のパケット。
【請求項３７】
個包装（１１）は、製品の周囲に折り畳まれ、かつシールされたシートの形態であることを特徴とする請求項１〜３１、３３〜３６のいずれかに記載のパケット。
【請求項３８】
個包装上の切取線（１７１）は、製品の端縁に最も近いシール線を越えた位置に配置されることを特徴とする請求項１〜３７のいずれかに記載のパケット。
【請求項３９】
個包装（１１）は、紙、パラフィン紙、金属フォイル、プラスチックフォイルまたはこれらの材料の種々の組み合わせから形成されることを特徴とする請求項１〜３８のいずれかに記載のパケット。
【請求項４０】
隣り合わせに配置された製品のグループを収容している請求項１〜３９のいずれかに記載のパケット。
【請求項４１】
重ねられた製品のグループを収容している請求項１〜４０のいずれかに記載のパケット。
【請求項４２】
隣り合わせに配置された製品のグループを２つ以上重ねて収容している請求項１〜４１のいずれかに記載のパケット。
【請求項４３】
重ねられた製品のグループを２つ以上隣り合わせにして収容している請求項１〜４２のいずれかに記載のパケット。
【請求項４４】
製品についてのパケットであって、
該パケット内に製品を保持するための所定の大きさの力を及ぼす保持手段を備え、
この保持手段として、永久接着手段（８０）は、要求「深さ」まで分離させることができる両面接着剤の形態であることを特徴とするパケット。
【請求項４５】
製品についてのパケットであって、
該パケット内に製品を保持するための所定の大きさの力を及ぼす保持手段を備え、
この保持手段として、永久接着手段が、永久接着剤によって実施されることを特徴とするパケット。
【請求項４６】
上記永久接着手段は、コールドグルーによって実施されることを特徴とする請求項４５に記載のパケット。
【請求項４７】
永久接着手段は、ホット・メルト・グルーによって実施されることを特徴とする請求項４５に記載のパケット。
【請求項４８】
上記製品は、食品であることを特徴とする請求項１〜４７のいずれかに記載のパケット。
【請求項４９】
上記製品は、チューインガムであることを特徴とする請求項４８に記載のパケット。
【請求項５０】
製品を箱詰めする方法であって、
シートに個包装製品を永久的に接着し、
上記シートを外箱内に挿入し、
消費者が切離し部分を引き裂くことによって上記製品を掴んで小出しすることができるように上記外箱の形成を完了すること、
を含む方法。
【請求項５１】
製品を箱詰めする方法であって、
外箱内にシートを挿入し、
上記シートに個包装製品を永久的に接着し、
消費者が切離し部分を引き裂くことによって上記製品を掴んで小出しすることができるように上記外箱の形成を完了すること、
を含む方法。
【請求項５２】
上記シートは、上記外箱に永久的に接着されることを特徴とする請求項５０または５１に記載のパケット。
【請求項５３】
製品を箱詰めする方法であって、
個包装製品を外箱に永久的に接着し、
消費者が切離し部分を引き裂くことによって上記製品を掴んで小出しすることができるように外箱の形成を完了すること、
を含む方法。
【請求項５４】
製品を箱詰めする方法であって、
弱くした線つまり切取線を包装材料に形成し、
上記材料内に上記製品を包み、
消費者が切離し部分を引き裂くことによって上記製品を掴んで小出しすることができるように、上記包装材料の一部をパケットの内側に永久的に接着すること、
を含む方法。
【請求項５５】
上記小出しされた製品は、包装材料が除かれて剥き出された部分を有し、これによって、人の口を使って直接的に製品を引き出せることを特徴とする請求項５０〜５４のいずれかに記載の製品を箱詰めする方法。
【請求項５６】
上記製品は、チューインガムのスティックであることを特徴とする請求項５０〜５５のいずれかに記載の製品を箱詰めする方法。